(57)【要約】 【課題】  本発明は、洋式トイレでズボン等を汚すことなく、使用の際に不便さを感じさせない洋式トイレ用ズボン等受けトレイを提供することを目的とするものである。【解決手段】  本発明は、ズボン等を受け止め、床に付かないようにするトレイと、前記トレイを汚さないように蓋をするカバーと、前記トレイを支え、キャスターにより移動可能な支持脚とからなり、前記トレイ及びカバーには足を入れるための溝を設け、前記トレイが左右に開くことで脚の幅も調整できることを特徴とする洋式トイレ用ズボン等受けトレイの構成とした。【選択図】  図１
2005168596.tif 000002
【特許請求の範囲】
【請求項１】
ズボン等を受け止め、床に付かないようにするトレイと、前記トレイを汚さないように蓋をするカバーと、前記トレイを支え、キャスターにより移動可能な支持脚とからなり、前記トレイ及びカバーには足を入れるための溝を設け、前記トレイが左右に開くことで脚の幅も調整できることを特徴とする洋式トイレ用ズボン等受けトレイ。
【発明の詳細な説明】
【技術分野】
【０００１】
本発明は、洋式トイレ使用時にズボンを床に付けなくて済む洋式トイレ用ズボン等受けトレイに関する発明である。
【背景技術】
【０００２】
洋式トイレ使用時は、ズボン等は膝で挟んだり、たくし上げたり等するが、汚れた床や便器に触れることがあり衛生的に問題があった。ズボン等を脱いでも床に付かないようにするためのものとして、特許文献１記載の発明も公開されている。
【特許文献１】特開平０８−０５２０９８号公報
【０００３】
図１２は、従来の洋式トイレ用衣類収納器の斜視図である。洋式トイレ用衣類収納器８は、衣類をおさめる収納部８ａ、両脚を受けるための左右２つの窪み８ｂ、両足の間の前面をカバーする突起８ｃ及び衣類の収納を確実にするための覆い８ｄからなる。
【０００４】
使用時は洋式トイレ用衣類収納器８を洋式トイレの前に設置し、両足がさらにその前に来るようにして便器に座り、両脚は左右の窪み８ｂで受けるようにする。ズボン等の衣類を脱いだら収納部８ａにおさまるように下ろし、覆い８ｄで覆うことで収納する。前方には窪み８ｂがあるが、突起８ｃを設けておくことで、両脚の間から衣類が収納部８ａの外へ出てしまうことを防いでいる。
【発明の開示】
【発明が解決しようとする課題】
【０００５】
しかしながら、従来の発明では、使用していない間にほこりが溜まったり、水を流したり、手を洗った際に、水がはねて付着したりと、洋式トイレ用衣類収納器自体が汚れてしまう可能性がある。
【０００６】
また、便器と脚の間に置くことから洋式トイレ用衣類収納器の幅を薄めにしなければならず、収納スペースが狭くなって、ズボン等が収納部にうまく中に入るように注意しなければならない。
【０００７】
そこで、本発明は、洋式トイレでズボン等を汚すことなく、使用の際に不便さを感じさせない洋式トイレ用ズボン等受けトレイを提供することを目的とするものである。
【課題を解決するための手段】
【０００８】
本発明は、上記の課題を解決するために、ズボン等を受け止め、床に付かないようにするトレイと、前記トレイを汚さないように蓋をするカバーと、前記トレイを支え、キャスターにより移動可能な支持脚とからなり、前記トレイ及びカバーには足を入れるための溝を設け、前記トレイが左右に開くことで脚の幅も調整できることを特徴とする洋式トイレ用ズボン等受けトレイの構成とした。
【発明の効果】
【０００９】
本発明は、以上の構成であるから以下の効果が得られる。第１に、洋式トイレでズボン等を下げても、トレイで受け止めることでズボン等を汚さずに済む。トレイにはカバーが付いているので、トレイ自体が汚れることもない。
【００１０】
第２に、膝下でズボン等を受け止めるため膝を自由に動かすことができ、トレイも左右にスライドするため両脚の開閉が自由になる。トレイにはキャスターが付いているので、使いやすい位置に調整でき、使用後は隅に退けることもできる。
【発明を実施するための最良の形態】
【００１１】
公衆トイレや公共施設、病院、宿泊施設、デパート又はレストラン等のトイレは、土足で使用されることが多く、清掃されていても床にズボン等が付くのは衛生的ではないので、このような場所で使用することが好ましい。
【実施例１】
【００１２】
以下に、添付図面に基づいて、本発明である洋式トイレ用ズボン等受けトレイについて詳細に説明する。図１は、本発明である洋式トイレ用ズボン等受けトレイの斜視図である。洋式トイレ用ズボン等受けトレイ１は、カバー２、トレイ３及び支持脚４からなる。但し、図１では、トレイ３はカバー２の下に隠れて見えなくなっている。
【００１３】
カバー２及びトレイ３は、前側の左右２箇所に足を入れるための左溝５及び右溝５ａが設けられたＥ字型をしており、角である左前切取面２ｉ、左後切取面２ｊ、右前切取面２ｋ及び右後切取面２ｌが切り取られている。
【００１４】
支持脚４はトレイ３の下側にあり、前支持脚４ａ、後支持脚４ｂ、左支持脚４ｃ及び右支持脚４ｄの４箇所で洋式トイレ用ズボン等受けトレイ１を支えていて、それぞれ前キャスター４ｅ、後キャスター４ｆ、左キャスター４ｇ及び右キャスター４ｈが付いているので移動可能である。
【００１５】
カバー２は、トレイ３を汚さないようにするための蓋の役割を果たし、左回動板２ａと右回動板２ｂからなる。左回動板２ａ及び右回動板２ｂにはそれぞれ左取っ手２ｃ、右取っ手２ｄが付いており、手で左右に引き上げることで左回動板２ａ及び右回動板２ｂを開くことができる。
【００１６】
左回動板２ａには左側面に左前蝶番２ｅ及び左後蝶番２ｆが付いており、右回動板２ｂには右側面に右前蝶番２ｇ及び右後蝶番２ｈが付いていて、これらを支点として左回動板２ａ及び右回動板２ｂが回動６、６ａして開く。
【００１７】
カバー２に空けられた左溝５及び右溝５ａの部分には、それぞれ左型抜き面２ｍ、右型抜き面２ｎが取り付けられ、左溝５及び右溝５ａの部分から汚れがトレイ３内に侵入するのを防いだり、トレイ３の左溝５及び右溝５ａの部分に設けられた左スポンジ３ｃ及び右スポンジ３ｄが汚れるのを防いでいる。
【００１８】
図２は、本発明である洋式トイレ用ズボン等受けトレイの正面図である。カバー２はトレイ３を上から覆うような感じになっており、支持脚４が下から支えるような感じになっている。支持脚４のうち後支持脚４ｂは、前支持脚４ａの裏側に隠れて見えなくなっている。
【００１９】
トレイ３は左基板３ａ及び右基板３ｂからなり、左基板３ａの左縁と右基板３ｂの右縁が上向きに反っているため、上に置かれたズボン等が外側へ垂れ下がってしまうのを防ぐことができる。
【００２０】
トレイ３は、左基板３ａの右側と右基板３ｂの左側を重ね合わせてあり、下側に設けた左スライダー３ｅ及び右スライダー３ｆに従って左右にスライド６ｂさせることで幅を調整することができる。
【００２１】
左スライダー３ｅは左基板３ａの下面に取り付けられており、右スライダー３ｆは右基板３ｂの下面に取り付けられている。右スライダー３ｆは左スライダー３ｅよりも一回り小さく、左側へ長く伸びていて、左スライダー３ｅの内部に差し込む。
【００２２】
左スライダー３ｅ及び右スライダー３ｆにはバネ３ｇが取り付けられているので、左右に広げても、開く力を弱めれば自動的に元に戻るようになっている。また、バネ３ｇと同じ位置に鎖３ｈも取り付けられていてトレイ３が開き過ぎてしまうのを抑えている。
【００２３】
支持脚４の４つの脚はそれぞれ円柱状になっており、下面に球状のキャスターが取り付けられており、キャスターが回転することで前後左右自在に移動可能となっている。前支持脚４ａ、後支持脚４ｂ、左支持脚４ｃ及び右支持脚４ｄに対してそれぞれ前キャスター４ｅ、後キャスター４ｆ、左キャスター４ｇ及び右キャスター４ｈが付いている。
【００２４】
図３は、本発明である洋式トイレ用ズボン等受けトレイの平面図である。図３においては、トレイ３及び支持脚４はカバー２の下側に隠れて見えなくなっている。カバー２の場合は、トレイ３のように左基板３ａと右基板３ｂを重ね合わせている訳ではなく、左回動板２ａと右回動板２ｂは左右対称である。
【００２５】
左回動板２ａは、長方形状の板から足が入るように型を抜いて左溝５を設けた形状をしており、左端を左前蝶番２ｅ及び左後蝶番２ｆにより左基板３ａと繋げている。角となる左前切取面２ｉ及び左後切取面２ｊは、他のものに当たった際に傷付けないように切り取ってある。左回動板２ａの側面は左基板３ａを覆うため板が取り付けられているが、左溝５の部分である左型抜き面２ｍにおいては特に大きめの板になっている。
【００２６】
同様に、右回動板２ｂは、長方形状の板から足が入るように型を抜いて右溝５ａを設けた形状をしており、右端を右前蝶番２ｇ及び右後蝶番２ｈにより右基板３ｂと繋げている。角となる右前切取面２ｋ及び右後切取面２ｌは、他のものに当たった際に傷付けないように切り取ってある。右回動板２ｂの側面は右基板３ｂを覆うため板が取り付けられているが、右溝５ａの部分である右型抜き面２ｎにおいては特に大きめの板になっている。
【００２７】
左回動板２ａ及び右回動板２ｂは、トレイ３の左基板３ａ及び右基板３ｂを開いていない状態であれば、カバー２とトレイ３の左溝５及び右溝５ａの部分の位置が合い、左型抜き面２ｍ及び右型抜き面２ｎでトレイ３を覆うことができる。
【００２８】
図４は、本発明である洋式トイレ用ズボン等受けトレイの右側面図である。左側面図は右側面図とほぼ同様である。カバー２は右回動板２ｂ、トレイ３は右基板３ｂのみを示しており、支持脚４のうち、左支持脚４ｃは右支持脚４ｄの裏側に隠れて見えなくなっている。
【００２９】
カバー２はトレイ３を覆う蓋であり、右取っ手２ｄを持ち上げると右前蝶番２ｇ及び右後蝶番２ｈを支点として右回動板２ｂが回動６ａして開くようになっている。トレイ３の右基板３ｂは皿状になっていて、カバー２を開いたときに中にズボン等を置くことができる。
【００３０】
左取っ手２ｃ及び右取っ手２ｄは、コの字型をした金属等の棒を折り曲げたもので、左回動板２ａ及び右回動板２ｂの開閉がしやすいように、空いた方を下側にして左回動板２ａの右端上面及び右回動板２ｂの左端上面に取り付けたものである。
【００３１】
左前蝶番２ｅ、左後蝶番２ｆ、右前蝶番２ｇ、右後蝶番２ｈは、それぞれ３つの短い筒状の金属に１本の金属の棒を通したもので、左右の筒をトレイ３側に、中の筒をカバー２側に取り付けることで、カバー２とトレイ３とを繋ぎ、かつ、カバー２の開閉を可能にしている。
【００３２】
右スライダー３ｆは、左スライダー３ｅ側に伸びていて、左スライダー３ｅの内部に通されている。右スライダー３ｆをずらすことでトレイ３が開くようになっている。開いたトレイ３はバネ３ｇによって元に戻る力が働いている。開き過ぎて右スライダー３ｆが外れたり、バネ３ｇが伸び過ぎないように、鎖３ｈの長さ以上には開かないように制御している。
【００３３】
図５は、本発明である洋式トイレ用ズボン等受けトレイの背面図である。正面図との違いは足を入れるための左溝５及び右溝５ａがないことである。支持脚４のうち前支持脚４ａは、後支持脚４ｂの裏側に隠れて見えなくなっている。
【００３４】
左基板３ａと右基板３ｂとの境界が中心からずれているのは、左基板３ａの右側を右基板３ｂの左側に重ねているためである。また、右スライダー３ｆを左スライダー３ｅに差し込むことによって、トレイ３の形を安定させている。
【００３５】
左支持脚４ｃは左基板３ａに、右支持脚４ｄは右基板３ｂに取り付けられているが、左基板３ａと右基板３ｂとを重ね合わせているので、中央にある前支持脚４ａ及び後支持脚４ｂは右基板３ｂの方に取り付けられている。
【００３６】
図６は、本発明である洋式トイレ用ズボン等受けトレイの底面図である。洋式トイレ用ズボン等受けトレイ１の材質は木、プラスチック、樹脂など特に限定されないが、使いやすさの面から軽めの素材を用いることが好ましい。
【００３７】
洋式トイレ用ズボン等受けトレイ１を使用する際、左溝５及び右溝５ａに足を入れた時に、足がトレイ３の左溝５又は右溝５ａの部分に当たることがあるので、足を保護するために左スポンジ３ｃ及び右スポンジ３ｄを付けておく。
【００３８】
洋式トイレ用ズボン等受けトレイ１の使用中は、足を動かしたりしてトレイ３に当たったり、幅を調整するのにトレイ３を開いて、足で押さえた状態になっている場合があるので、足が当たる部分には柔らかい左スポンジ３ｃ及び右スポンジ３ｄを当てておくと足への圧力がソフトで痛くなったりしない。
【００３９】
図７は、本発明である洋式トイレ用ズボン等受けトレイのカバーを開いた状態の正面図である。洋式トイレ用ズボン等受けトレイを使用するために、カバー２の左回動板２ａ及び右回動板２ｂを回動６、６ａさせて開いた状態を示している。
【００４０】
左回動板２ａ及び右回動板２ｂは、トレイ３の蓋の役割を果たすが、左溝５及び右溝５ａの部分においてはトレイ３の底まで空いているので、左型抜き面２ｍ及び右型抜き面２ｎで覆っている。
【００４１】
洋式トイレ用ズボン等受けトレイ１を使用する時のみカバー２を開き、未使用時は閉じて置くので、トレイ３の内部はあまり汚れることがなく、中に置いたズボン等も汚さずに済み、衛生的である。
【００４２】
左取っ手２ｃ及び右取っ手２ｄにより左回動板２ａ及び右回動板２ｂを開いた後は、左型抜き面２ｍ及び右型抜き面２ｎもトレイ３から外れているので、トレイ３を左右に開くことができる。使用する人によって脚の幅が異なるので、トレイ３の幅を調整することができる。
【００４３】
図８は、本発明である洋式トイレ用ズボン等受けトレイのカバーを開いた状態の平面図である。カバー２の左回動板２ａ及び右回動板２ｂを開くとズボン等を置くためのトレイ３の内部が現れる。
【００４４】
トレイ３の内部は、左溝５及び右溝５ａの部分以外は、縁の部分が上向きに反った皿状になっていて、ズボン等を受け止めることができるようになっている。縁の部分が高くなっているので、置いたズボン等が外側へ滑り落ちたりすることはない。
【００４５】
トレイ３には、左溝５及び右溝５ａの部分が空いているが、両足を入れているため問題はなく、ここからズボン等がはみ出ても洋式トイレ用ズボン等受けトレイ１には支持脚４の高さがあるので床に付くことは少ない。
【００４６】
図９は、本発明である洋式トイレ用ズボン等受けトレイの左右にスライドさせた状態の平面図である。トレイ３の幅がスライド６ｂにより変更できることで様々な体格の人に対応することができる。
【００４７】
支持脚４の前キャスター４ｅ、後キャスター４ｆ、左キャスター４ｇ及び右キャスター４ｈにより洋式トイレ用ズボン等受けトレイ１の位置を調整し、左基板３ａ及び右基板３ｂのスライド６ｂで脚の幅を調整できるので、使用者にとってストレスは小さい。
【００４８】
トレイ３のスライド６ｂは通常、足を開くことによって行うため、トレイ３の左溝５及び右溝５ａの部分が足に当たることになる。トレイ３の左溝５及び右溝５ａの部分に沿って左スポンジ３ｃ及び右スポンジ３ｄが取り付けられているので、足が当たってもソフト感がある。
【００４９】
図１０は、本発明である洋式トイレ用ズボン等受けトレイの左右にスライドさせた状態の底面図である。左溝５及び右溝５ａの部分に足を入れて外側に向かって足を開くことでトレイ３をスライドさせることができる。
【００５０】
トレイ３をスライド６ｂさせると、左スライダー３ｅの内部に差し込まれた右スライダー３ｆが抜けてくる。両端が左基板３ａと右基板３ｂに接続されているバネ３ｇ及び鎖３ｈも左右に引かれていく。鎖３ｈはバネ３ｇのように伸びないので、鎖３ｈが張ったところで止まる。
【００５１】
左右にスライド６ｂされたトレイ３は、左右に引く力を弱めると、バネ３ｇの力により元の位置に戻ろうとする。自動的に元に戻ることで、洋式トイレ用ズボン等受けトレイ１の使用後はすぐにカバー２を閉じることができる。
【００５２】
図１１は、本発明である洋式トイレ用ズボン等受けトレイを使用した状況を示す図である。利用者７は、洋式トイレ用ズボン等受けトレイ１を便器の前に置く。洋式トイレ用ズボン等受けトレイ１には支持脚４に前キャスター４ｅ、後キャスター４ｆ、左キャスター４ｇ及び右キャスター４ｈがあるので、位置は自由に調整できる。
【００５３】
左取っ手２ｃ及び右取っ手２ｄを持って、左回動板２ａ及び右回動板２ｂを引き上げるように回動６、６ａさせてカバー２を開き、利用者７の右足７ａ及び左足７ｂを左溝５及び右溝５ａの部分に入れるようにして便座に座る。
【００５４】
利用者７は自分の脚の幅に合うようにトレイ３の左基板３ａ及び右基板３ｂを左右に広げることができる。利用者７はズボン等を脱いでも、膝下あたりにあるトレイ３に受け止められるので、ズボン等を床に付けなくて済む。ズボン等は膝で挟んでおく必要が無くなり、膝を自由に動かせるようになったことで、利用者７はかなり楽になる。
【００５５】
使用後は、利用者７は右足７ａ及び左足７ｂを左溝５及び右溝５ａの部分から出し、トレイ３の左右の開きが戻っているのを確認して、左回動板２ａ及び右回動板２ｂを閉める。洋式トイレ用ズボン等受けトレイ１は邪魔にならない位置に移動しても良い。
【００５６】
洋式トイレ用ズボン等受けトレイ１は、利用者７が便座に座らず、立って使用する場合であっても、カバー２を開かずにそのまま前から左溝５及び右溝５ａの部分に左足７ｂ及び右足７ａを入れることで、便器から離れることなく利用することができる。
【産業上の利用可能性】
【００５７】
一般家庭では土足で入るトイレは少ないが、トイレという汚物を処理する場所でズボン等が床に付くことに不快感のある人に対して提供することもできる。また、洋式トイレ用ズボン等受けトレイをトイレと一体型にしてしまうということも考えられる
【図面の簡単な説明】
【００５８】
【図１】本発明である洋式トイレ用ズボン等受けトレイの斜視図である。
【図２】本発明である洋式トイレ用ズボン等受けトレイの正面図である。
【図３】本発明である洋式トイレ用ズボン等受けトレイの平面図である。
【図４】本発明である洋式トイレ用ズボン等受けトレイの右側面図である。
【図５】本発明である洋式トイレ用ズボン等受けトレイの背面図である。
【図６】本発明である洋式トイレ用ズボン等受けトレイの底面図である。
【図７】本発明である洋式トイレ用ズボン等受けトレイのカバーを開いた状態の正面図である。
【図８】本発明である洋式トイレ用ズボン等受けトレイのカバーを開いた状態の平面図である。
【図９】本発明である洋式トイレ用ズボン等受けトレイの左右にスライドさせた状態の平面図である。
【図１０】本発明である洋式トイレ用ズボン等受けトレイの左右にスライドさせた状態の底面図である。
【図１１】本発明である洋式トイレ用ズボン等受けトレイを使用した状況を示す図である。
【図１２】従来の洋式トイレ用衣類収納器の斜視図である。
【符号の説明】
【００５９】
１        洋式トイレ用ズボン等受けトレイ
２        カバー
２ａ      左回動板
２ｂ      右回動板
２ｃ      左取っ手
２ｄ      右取っ手
２ｅ      左前蝶番
２ｆ      左後蝶番
２ｇ      右前蝶番
２ｈ      右後蝶番
２ｉ      左前切取面
２ｊ      左後切取面
２ｋ      右前切取面
２ｌ      右後切取面
２ｍ      左型抜き面
２ｎ      右型抜き面
３        トレイ
３ａ      左基板
３ｂ      右基板
３ｃ      左スポンジ
３ｄ      右スポンジ
３ｅ      左スライダー
３ｆ      右スライダー
３ｇ      バネ
３ｈ      鎖
４        支持脚
４ａ      前支持脚
４ｂ      後支持脚
４ｃ      左支持脚
４ｄ      右支持脚
４ｅ      前キャスター
４ｆ      後キャスター
４ｇ      左キャスター
４ｈ      右キャスター
５        左溝
５ａ      右溝
６        回動
６ａ      回動
６ｂ      スライド
７        利用者
７ａ      右足
７ｂ      左足
８        洋式トイレ用衣類収納器
８ａ      収納部
８ｂ      窪み
８ｃ      突起
８ｄ      覆い
【図１】
2005168596.tif 000003
【図２】
2005168596.tif 000004
【図３】
2005168596.tif 000005
【図４】
2005168596.tif 000006
【図５】
2005168596.tif 000007
【図６】
2005168596.tif 000008
【図７】
2005168596.tif 000009
【図８】
2005168596.tif 000010
【図９】
2005168596.tif 000011
【図１０】
2005168596.tif 000012
【図１１】
2005168596.tif 000013
【図１２】
2005168596.tif 000014